(57)【要約】【課題】取付作業性を向上させるために、固定ねじの本数を低減しつつ、傾いたりぐらついたりすることなく自立可能な壁パネル用支柱固定構造を提供する。【解決手段】隣接する壁パネルを支持する支柱を床面に立設する支柱固定構造において、床面周縁に設けられ、側面に突設された凸部を有する立ち上がり縁と、上記凸部に係合する凹部が脚部に凹設された支柱とから構成され、上記立ち上がり縁の上記凸部側の側面と上記支柱脚部の凹部側の側面とが当接し、上記凸部と凹部とが連通螺合されて固定される。【選択図】  図７
2006183439.tif 000002
【特許請求の範囲】
【請求項１】
隣接する壁パネルを支持する支柱を床面に立設する支柱固定構造において、
床面周縁に設けられ、側面に突設された凸部を有する立ち上がり縁と、
上記凸部に係合する凹部が脚部に凹設された支柱と、
から構成され、
上記立ち上がり縁の上記凸部側の側面と上記支柱脚部の凹部側の側面とが当接し、上記凸部と凹部とが連通螺合されて固定されることを特徴とする支柱固定構造。
【請求項２】
隣接する壁パネルを支持する支柱を床面に立設する支柱固定構造において、
床面周縁に設けられ、側面に凹設された凹部を有する立ち上がり縁と、
上記凹部に係合する凸部が脚部に凸設された支柱と、
から構成され、
上記立ち上がり縁の上記凹部側の側面と上記支柱脚部の凸部側の側面とが当接し、上記凹部と凸部とが連通螺合されて固定されることを特徴とする支柱固定構造。
【請求項３】
隣接直交する壁パネルを支持するコーナー支柱を床面に立設する支柱固定構造において、
床面周縁の隅角部に設けられ、側面に突設された凸部を有する立ち上がり縁と、
上記凸部に係合する凹部が脚部に凹設されたコーナー支柱と、
から構成され、
上記立ち上がり縁の上記凸部側の側面と上記コーナー支柱脚部の凹部側の側面とが当接し、上記凸部と凹部とが連通螺合されて固定されることを特徴とする支柱固定構造。
【請求項４】
隣接直交する壁パネルを支持するコーナー支柱を床面に立設する支柱固定構造において、
床面周縁の隅角部に設けられ、側面に凹設された凹部を有する立ち上がり縁と、
上記凹部に係合する凸部が脚部に凸設されたコーナー支柱と、
から構成され、
上記立ち上がり縁の上記凹部側の側面と上記コーナー支柱脚部の凸部側の側面とが当接し、上記凹部と凸部とが連通螺合されて固定されることを特徴とする支柱固定構造。
【請求項５】
上記凸部は、１または２以上の縦方向の突条に形成されたことを特徴とする請求項１から４のいずれかに記載の支柱固定構造。
【請求項６】
床面周縁に設けられ、側面に突設された凸部を有する立ち上がり縁と、
隣接する壁パネルを支持する支柱であって、脚部が上記立ち上がり縁の上記凸部側の側面と当接し、上記支柱脚部の上記立ち上がり縁に当接する側面に上記凸部に係合する凹部が凹設され、該凹部と上記凸部とが連通螺合されて床面に固定された支柱と、
を備えることを特徴とするユニットルーム。
【請求項７】
床面周縁に設けられ、側面に凹設された凹部を有する立ち上がり縁と、
隣接する壁パネルを支持する支柱であって、脚部が上記立ち上がり縁の上記凹部側の側面と当接し、上記支柱脚部の上記立ち上がり縁に当接する側面に上記凹部に係合する凸部が凸設され、該凸部と上記凹部とが連通螺合されて床面に固定された支柱と、
を備えることを特徴とするユニットルーム。
【発明の詳細な説明】
【技術分野】
【０００１】
本発明は、浴室等のユニットルームを構成する壁パネルに係り、特に壁パネルを支持する支柱固定構造に関する。また、本発明は、斯かる支柱固定構造を用いたユニットルームに関する。
【背景技術】
【０００２】
ユニットルームは、床，壁，天井に給排水設備や電気設備等を組合せて構成された室型ユニットであり、中でも、それ自身で平面を維持できる程度の強さをもった板状のパネルを接続して壁面を構成するパネル方式のものは、ユニットバスルーム、ユニットシャワールーム、ユニットトイレルーム等で広く採用されている。
【０００３】
このパネル方式によるユニットルームの壁パネルは通常、床に立設された２本の支柱間に架設される。ユニットルームの四隅以外、すなわち壁面の中間部に用いられる支柱（以下「中間支柱」という。）は、角柱、或いは壁パネル裏面側が開口したチャンネル等比較的単純な形状であり、ユニットルームの四囲を囲うように突設された床からの立ち上がり部分に、支柱がぐらつかないよう上下に少なくとも２本のねじで固定される。或いは、壁パネルの背面に建築壁が位置する場合、この建築壁に、上下に少なくとも２本のねじで固定されることもある。
【０００４】
ところが、直交隣接する２つの壁パネルを支持するコーナー部においては従来、図１３に示すように、一方の壁パネルの背面側と、他方の壁パネルの背面側との直交関係にある２箇所において、床からの立ち上がりまたは建築壁にねじ止めされていた。すなわち、１つの支柱であるにも拘わらず、また、様々な形状のものがあるにも拘わらず、恰も２本の中間部支柱があるかのように固定されていた（例えば、特許文献１、２参照。）。この構造によれば、直角方向にねじ固定されるので、より確実にコーナー支柱の自立強度を確保することができる。
【特許文献１】特開平６−１０８５６０号公報（図１６）
【特許文献２】特開平１１−２２９５００号公報（図４，図６）
【発明の開示】
【発明が解決しようとする課題】
【０００５】
ところで、このねじを貫通させるために支柱に穿設されたねじ孔の径は、加工誤差等を吸収すべくねじ径より大きく設定される。そのため、ねじとの間の遊びによって、本来直立しなければならない支柱が傾いて取り付けられることがある。斯かる不都合は、２本のねじ間の距離を大きく取れば回避することができるが、この方法では支柱を大型化する必要があり、製作コストが上昇するという新たな問題が発生する。
【０００６】
また、取付時において、２本目のねじ固定が完了するまでは、支柱がぐらついて自立しないため、作業者は固定完了までの間中手で支柱をしっかりと保持しておかねばならず、一人で作業を行う場合に作業がし辛いという問題がある。
【０００７】
さらに、壁と垂直方向にねじ固定するので、支柱が床からの立ち上がり部分に固定される場合、図１３（ｂ）に示したように、ユニットルームの裏側にねじの先端が飛び出す余裕を設ける必要があり、その分壁パネルを室内側に持ち出さねばならず、畢竟ユニットルームの室内空間が狭くなってしまう。中間支柱がある場合は、そこでもねじの先端が飛び出すので致し方ないとしても、コーナー支柱間に中間支柱がない場合、このコーナー支柱のために室内空間が狭まることになる。
【０００８】
本発明は、上述した事情を考慮してなされたもので、取付作業性を向上させるために、固定ねじの本数を低減しつつ、傾いたりぐらついたりすることなく自立可能な壁パネル用支柱固定構造及びこの固定構造を用いたユニットルームを提供することを目的とするものである。
【０００９】
本発明の他の目的は、壁パネルと背面の建築壁との間隔を小さくして、同じ設置スペースでより広い室内空間を確保することができるユニットルームの壁パネル用支柱固定構造及びこの支柱固定構造を用いたユニットルームを提供することにある。
【課題を解決するための手段】
【００１０】
本発明に係る支柱固定構造は、上述した課題を解決するために、請求項１に記載したように、隣接する壁パネルを支持する支柱を床面に立設する支柱固定構造において、床面周縁に設けられ、側面に突設された凸部を有する立ち上がり縁と、上記凸部に係合する凹部が脚部に凹設された支柱とから構成され、上記立ち上がり部の上記凸部側の側面と上記支柱脚部の凹部側の側面とが当接し、上記凸部と凹部とが連通螺合されて固定されるものである。
【００１１】
また、上述した課題を解決するために、請求項３に係る支柱固定構造は、隣接直交する壁パネルを支持するコーナー支柱を床面に立設する支柱固定構造において、床面周縁の隅角部に設けられ、側面に突設された凸部を有する立ち上がり縁と、上記凸部に係合する凹部が脚部に凹設されたコーナー支柱とから構成され、上記立ち上がり縁の上記凸部側の側面と上記コーナー支柱脚部の凹部側の側面とが当接し、上記凸部と凹部とが連通螺合されて固定されるものである。
【００１２】
上記凸部は、好適には、請求項５に記載したように、１または２以上の縦方向の突条に形成される。
【００１３】
さらに、上述した課題を解決するために、請求項６に係るユニットルームは、床面周縁に設けられ、側面に突設された凸部を有する立ち上がり縁と、隣接する壁パネルを支持する支柱であって、脚部が上記立ち上がり縁の上記凸部側の側面と当接し、上記支柱脚部の上記立ち上がり縁に当接する側面に上記凸部に係合する凹部が凹設され、該凹部と上記凸部とが連通螺合されて床面に固定された支柱とを備えるものである。
【００１４】
そして、これら凸部及び凹部は、請求項２，４及び７に記載したように、上述した発明とは逆に、前記立ち上がり縁に前記凹部が、また、前記脚部に前記凸部が設けられた構成とすることも可能である。
【発明の効果】
【００１５】
本発明に係る支柱固定構造によれば、固定ねじの本数を低減しつつ、傾いたりぐらついたりすることなく自立する壁パネル用支柱を得ることができ、取付作業性が向上する効果が得られる。
【００１６】
また、本発明は、壁パネルと背面の建築壁との間隔を小さくして、同じ設置スペースでより広い室内空間を確保することが可能となる。
【発明を実施するための最良の形態】
【００１７】
本発明に係る壁パネル用の支柱固定構造及びユニットルームの実施の形態について、添付図面を参照して説明する。図１は、本発明に係る壁パネル用の支柱固定構造を採用したユニットルーム１の全体的な概要を示すものである。本実施形態に示されたユニットルーム１は、床２と、壁３と、コーナー支柱３０と図示しない天井パネル及び出入り口とを備え、一定の広さを有する空間を形成する。
【００１８】
床２は、建築床或いは防水パンで構成され、床２の四周には、壁３を構成する壁パネル１０を載置可能な壁パネル載置部２ａが形成される。
【００１９】
コーナー支柱３０は、この床の四隅に立設され、壁パネル１０，１０Ａの荷重を支持するとともに、壁パネルの表面相互間で出入りが生じないように立設状態に保持するものである。このコーナー支柱３０は、室内側に位置するコーナー目地２０と協働して壁パネル１０，１０Ａを挟持する。
【００２０】
コーナー目地２０は、図２に示すように、目地本体２０ａと、軟質部２０ｂと、支持部２０ｃとを備える。目地本体２０ａは、ＡＢＳ樹脂等の硬質プラスティックを細長い略三角柱状に成形したものであり、壁パネル１０と、直交するもう一方の壁パネル１０との突き合わせ端部を掩蔽し、水密性及び意匠性を高めるものである。
【００２１】
軟質部２０ｂは、例えばオレフィン系エラストマーからなる柔軟な部材で、コーナー目地２０が壁パネル１０に押圧されると変形して壁パネル１０に圧着され、水密性を高める。
【００２２】
支持部２０ｃは、例えばステンレス鋼板を２つに折曲して断面が略Ｙ字状の棒体に形成される。支持部２０ｃには、一定の間隔で係入片２０ｄが複数突設される。この係入片２０ｄが、コーナー支柱３０に穿設された、後述するスリット３０ｄに係入されることにより、壁パネル１０がコーナー目地２０及びコーナー支柱３０に挟持される。
【００２３】
コーナー支柱３０は、図３（ａ）に示すように、細長い、例えば亜鉛メッキ鋼板等を折曲加工したもので、その短手方向断面は、図３（ｃ）に示すように、中央のコーナー目地掛合部３０ａと、このコーナー目地掛合部３０ａの両側端で４５度の角度で折曲された壁パネル受け部３０ｂ，３０ｂとからなる。そして、コーナー目地掛合部３０ａはさらに、両端部が折曲された折曲部３０ｆが設けられ、略Ｗ字状に形成される。本実施形態に係る折曲部３０ｆは、本発明の凹部を構成する。
【００２４】
コーナー目地掛合部３０ａには、所定の間隔で、コーナー目地２０の係入片２０ｄが係入される複数のスリット３０ｄが穿設されている。一方、壁パネル受け部３０ｂには、図３（ｂ）に示すように、壁パネル１０，１０Ａ据付時において、上段及び下段の壁パネル１０，１０Ａに設けられた掛止孔１２ａが対向する位置に、この掛止孔１２ａに嵌挿されるピン３０ｄが突設される。また、コーナー目地掛合部３０ａの下端近傍には、コーナー支柱３０を、床２の壁パネル載置部２ａに立設するためのねじ孔３０ｅが穿設される。
【００２５】
このコーナー支柱３０は、図４に示すように、立ち上がり縁４にねじ３１によりねじ止めされる。立ち上がり縁４には、横断面が略三角形の突条４ａが２筋縦方向に突設され、この突条４ａ，４ａにコーナー支柱３０の折曲部３０ｆが嵌合し、コーナー支柱３０がぐらつくことなく固定される。本実施形態に係る突条４ａは、本発明の凸部を構成する。
【００２６】
壁３は、壁パネル載置部２ａ上に立設された下段の壁パネル１０と、その上に載置された上段の壁パネル１０Ａとから構成される。壁パネル１０，１０Ａは、さねはぎ（一方を凸，他方を凹に彫って合わせる板の接合方法）に接合されて、床２の外縁に設けられた壁パネル載置部２ａ上に載置され、立設されたコーナー支柱３０，３０間に渡設される。したがって、壁３の中間に支柱を設ける必要はない。本実施形態では２段の場合を例に採って説明するが、天井高さが高い場合等では、３段或いはそれ以上の壁パネルを積み上げて壁３を構成してもよい。
【００２７】
例えば、ユニットルームの一形態であるユニットバスでは、その大きさが長さ１６００×幅１６００×高さ２０００ｍｍ程度が主流である。この場合、従来の縦張り型壁パネルでは、１枚のパネルの長さ（高さ）は、２０００ｍｍ前後となる。ところが、本発明に係る横積み構造の壁パネルでは、その長さが１６００ｍｍ前後となるので、運搬時や組立時においての振り回しが容易になる。
【００２８】
ユニットルーム１の壁３を構成する壁パネルのうち下段に設置される壁パネル１０は、図５に示すように、芯材１２に、室内側に面する表面材１１と、室外側に面する裏面材１３とが接着剤により貼着されて形成される。表面材１１及び裏面材１３には、例えば化粧鋼板が用いられ、芯材１２には、例えば石膏ボード、セメント板、珪酸カルシウム板或いは発泡樹脂製の板等が用いられる。この構成により、壁パネル１０自体の厚さは略１２ｍｍ程度に抑えられ、また、重量も軽く、運搬上及び組立上取り扱い易いものとなっている。そして、安価に製造することができる。
【００２９】
表面材１１の上側端は、図５（ｃ）に示すように、背面側に折曲されて、さねはぎ接合に供される凸条１４が形成される。この凸条１４は、室内側底部１４ａと室外側底部１４ｃとの中央に、頂部１４ｂが立設される。
【００３０】
これに対し、表面材１１の下側端は、図５（ｄ）に示すように、背面側に折曲されて凹条１５が形成される。この凹溝１５は、壁パネル１０の厚さ方向中央に位置する底部１４ｂを挟んで、室内側頂部１５ａと室外側頂部１５ｃとが立設される。
【００３１】
一方、壁パネル１０の両側端は、図５（ｅ）に示すように、芯材１２に表面材１１と裏面材１３とが貼着された後単純に切断されたままとなっている。このように、両側端は切断後何ら加工を必要としないので、押出製法等により連続して生産することが可能となり、生産コストを低減することができる。
【００３２】
また、壁パネル１０の背面には、上方の両端近傍に図５（ｃ）に示す掛止孔１２ａが凹設される。壁パネル１０は、この掛止孔１２ａが、支柱４に突設されたピン３０ｄに掛止されて立設される。
【００３３】
ユニットルーム１の壁３を構成する壁パネルのうち上段に設置される壁パネル１０Ａは、基本的には壁パネル１０と同様の構成であるが、その上側端が単純に背面側に折曲されている点で壁パネル１０と相違する（図８参照）。
【００３４】
本実施の形態に係るユニットルーム１は上記のように構成されており、以下その壁パネルの取付順序について、図６に示すフローチャートを参照して説明する。
【００３５】
まず、建築床或いは防水パン等の床２上に、コーナー支柱３０を立設する（ステップＳ１）。この立設は、図７に示すように、床２入隅部分にある立ち上がり縁４の突条４ａ，４ａが形成された側面にコーナー支柱３０の背面（室外側）を当接し、立ち上がり縁４に穿設されたねじ孔４ｂと、コーナー支柱材３０のねじ孔３０ｅとにねじ３１を連通螺挿して行う。
【００３６】
このとき、突条４ａ，４ａにコーナー支柱３０の折曲部３０ｆが嵌合し、コーナー支柱がぐらつかないので、作業員はコーナー支柱を容易に保持することができ、その後のねじ止め作業を煩わせることはない。また、ぐらつきがないことから、ねじ止めも１箇所ですみ、この点でも作業工数を減らすことができる。
【００３７】
次に、下段の壁パネル１０の掛止孔１２ａを、立設されたコーナー支柱３０のピン３０ｄに外嵌させて、壁パネル１０を立設する（ステップＳ２）。このユニットルームが水密性を要求されるものであれば、図８（ｂ）に示すように、壁パネル載置部２ａ上に水密材５０を敷設してから壁パネル１０を載置する。このとき、壁パネル１０は、コーナー支柱３０により立設されているので、折曲された表面材１１の下端に自重が完全にかかることはなく、表面材１１が変形する虞がない。
【００３８】
そして、上段の壁パネル１０Ａ下端の凹溝１５を、下段の壁パネル１０上端の凸条１４に嵌合させてさねはぎ接合させた後、上段の壁パネル１０Ａの係止孔１２ａを、立設されたコーナー支柱３０のピン３０ｄに外嵌させて、壁パネル１０Ａを立設する（ステップＳ３）。このように、係止孔１２ａをピン３０ｄに外嵌させるだけで位置決めができるので、作業員が一人でも容易に壁パネルを組み立てることができる。
【００３９】
続いて、図９に示すように、コーナー目地２０の係入片２０ｄを、コーナー支柱３０のスリット３０ｃに係入させて、コーナー目地２０を取り付ける（ステップＳ４）。これにより、図１０に示すように、壁パネル１０，１０Ａは、コーナー支柱３０とコーナー目地２０とに挟持され、壁パネル１０，１０Ａの掛止孔１２ａがコーナー支柱３０のピン３０ｄから脱落することなく、堅固に固定される。
【００４０】
このように壁パネル１０，１０Ａが固定されると、その両側端は、図１０に示すように、コーナー目地２０の目地本体２０ａ及びコーナー支柱３０により掩蔽されるので、その切断面が見えることはなく、特別な保護も必要としない。これにより、端部が切放し形状の単純な壁パネルを採用することが可能となり、生産コストが抑えられるとともに、取付作業も用意となる。
【００４１】
また、コーナー目地２０の背面側にある軟質部２０ｂは、壁パネル１０，１０Ａと目地本体２０ａとの間で押圧されて変形し、壁パネル１０，１０Ａに圧着されて水密性が高められる。また、壁パネル１０，１０Ａが押圧されることにより、上段の壁パネル１０Ａと下段の壁パネル１０との間に段差が生じないので、意匠性が低下することもない。
【００４２】
このように、壁パネル１０，１０Ａの取付には、ビス止めやボルト締め等の工程がないので工数が減少し、工期の短縮、延いてはコストの低減が可能となる。また、コーナー目地２０の係入片２０ｄをコーナー支柱３０のピン３０ｄに係入させるだけで壁パネルを固定できるので、作業員が一人でも容易に壁パネルを組み立てることができる。
【００４３】
こうして立設された壁３上に天井パネル４０を載置すれば（ステップＳ５）、ユニットルームの外枠が完成する。天井パネル４０の取付は、例えば図８（ｂ）に示すように、天井パネル４０の端部を、接続ピース４１の嵌合凹部４１に嵌合させ、この接続ピース４１のもう一方の嵌合凹部４１ｂを、壁パネル１０Ａの上端に嵌合させて行う。
【００４４】
次に、斯かるコーナー支柱の変形例を、図１１を参照して説明する。本実施形態では、本発明に係る凸部として立ち上がり縁４に突設された突条４ａは、その横断面が略三角形のものが２筋ある場合を例に採って説明した。しかしながら、突条４ａの形状はこの形に限られない。
【００４５】
例えば、図１１（ａ）に示すように、横断面が１つの略台形の物とすることができる。この場合、コーナー支柱３０のコーナー目地掛合部３０ａはその両端が一度ずつ折曲され、この略台形状の突条４ａ１と嵌合するように成形される。このような形状であっても、本実施形態に係る突条４ａと同様の機能を得ることができる。
【００４６】
また、図１１（ｂ）に示すように、台形状の突条４ａ２の中央部にさらに凹溝４ｃを設けてもよい。このように、本実施形態とは逆に、立ち上がり縁４に凹部を設け、コーナー支柱３０に凸部を設けても本実施形態に係る突条４ａと同様の機能を得ることができる。
【００４７】
さらに、図１１（ｃ）に示すように、角柱状の突条４ａ３が中央に１筋のみの構成とすることも可能である。
【００４８】
コーナー支柱３０に凹部を設けるには、折曲による方法が容易であることから、本実施形態及び上述した変形例では、凸部として縦に突条を形成した場合を例に採って説明した。しかしながら、コーナー支柱３０がぐらつくことなく、しかもねじ１本で固定できるという本発明の効果は、縦方向に形成された突条でなくとも得ることができる。すなわち、突条が横方向に設けられてもよいし、図１２に示すように、独立した円柱形であってもよい。これはさらに、角柱形であってもよい。この場合、がたつき防止のためには、複数個の柱状突起を突設させることが好ましい。
【００４９】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００５０】
例えば、本実施形態では、コーナー支柱の場合を例に採って説明したが、この支柱固定構造は中間支柱に採用することも可能である。
【００５１】
また、本実施形態においては、横積み構造のものを例にとって説明したが、本発明はこれに限られず、縦張り型の壁パネルにおいても採用することが可能である。
【００５２】
また、ユニットルームも、ユニットバスルーム、ユニットシャワールーム、ユニットトイレルーム等に限られず、物置やトランクルーム等であってもよい。
【図面の簡単な説明】
【００５３】
【図１】本発明に係る壁パネル及びその接続構造を備えるユニットルームの全体概要を示す図。
【図２】コーナー目地の詳細図で、（ａ）は側面図、（ｂ）は（ａ）中のＡ−Ａ矢視図。
【図３】コーナー支柱の詳細図で、（ａ）は正面図、（ｂ）は（ａ）中のＢ−Ｂ矢視図、（ｃ）は同Ｃ−Ｃ矢視図、（ｄ）は同Ｄ部拡大図。
【図４】コーナー支柱を立ち上がり縁に取り付けた状態を示す平面図。
【図５】壁パネルの詳細図で、（ａ）は正面図、（ｂ）は側面図、（ｃ）は（ａ）中のＥ−Ｅ矢視図，（ｄ）は同Ｆ−Ｆ矢視図、（ｅ）は同Ｈ−Ｈ矢視図。
【図６】本実施形態に係るユニットルームの壁パネル組立順序を示すフローチャート。
【図７】本実施形態に係るコーナー支柱の固定構造の取付を説明する分解斜視図。
【図８】図１に示された壁パネルの取付を説明する図であり、（ａ）は組立前の、（ｂ）は組立後の縦断面図。
【図９】コーナー支柱にコーナー目地を取り付ける様子を説明する図。
【図１０】壁パネルの取付状態を示す横断面図。
【図１１】コーナー支柱の変形例を示す断面図。
【図１２】コーナー支柱の他の変形例を示す断面図。
【図１３】従来のコーナー支柱及びこのコーナー支柱を用いた壁パネル接続構造の一例を示す図。
【符号の説明】
【００５４】
１  ユニットルーム
２  床
２ａ  壁パネル載置部
３  壁
４  立ち上がり縁
４ａ  突条
４ｃ  凹溝
１０，１０Ａ  壁パネル
１１  表面材
１２  芯材
１２ａ掛止孔
１３  裏面材
１４  凸条
１４ａ  室内側底部
１４ｂ  頂部
１４ｃ  室外側底部
１５  凹溝
１５ａ  室内側頂部
１５ｂ  底部
１５ｃ  室外側頂部
１６，５０  水密材
２０  コーナー目地
２０ａ  目地本体
２０ｂ  軟質部
２０ｃ  支持部
２０ｄ  係入片
３０  コーナー支柱
３０ａ  コーナー目地掛合部
３０ｂ  壁パネル受け部
３０ｃ  スリット
３０ｄ  ピン
３０ｅ  ねじ孔
３０ｆ  折曲部
４０  天井パネル
４１  接続ピース
４１ａ，４１ｂ  嵌合凹部
【図１】
2006183439.tif 000003
【図２】
2006183439.tif 000004
【図３】
2006183439.tif 000005
【図４】
2006183439.tif 000006
【図５】
2006183439.tif 000007
【図６】
2006183439.tif 000008
【図７】
2006183439.tif 000009
【図８】
2006183439.tif 000010
【図９】
2006183439.tif 000011
【図１０】
2006183439.tif 000012
【図１１】
2006183439.tif 000013
【図１２】
2006183439.tif 000014
【図１３】
2006183439.tif 000015